(57)【要約】【課題】所定の設置スペース内に容易に収めることができ、且つ、無停電での計器交換作業及び送電の停止停解作業を安価な手段で、配電線の誤接続等の虞なく且つ効率的に行うことを可能にする、小型据置端子を提供する。【解決手段】配電線と計器とに接続される棒形圧着端子２または圧縮端子を備える据置端子１が提供される。配電線１Ｓ、２Ｓ、３Ｓ、３Ｌ、２Ｌ、１Ｌは、抜け止め用部材７ａ、７ｂによって、据置端子１のケース４に対して抜け止めされており、送電の停止停解時に着脱される配電線３Ｌ、１Ｌの抜け止め用部材７ｂは、互いに一体化された抜け止め用部材である。据置端子１は、さらに、内部カバー５を備えており、送電の停止停解時に着脱される配電線３Ｌ、１Ｌを、他の配電線１Ｓ、２Ｓ、３Ｓ、２Ｌがケース４に固定された状態で着脱可能とする。棒形圧着端子２の圧着部２ａまたは棒形圧縮端子の圧縮部は、短絡装置に対する接触部を備えている。【選択図】図１０
2010135078.tif 000002
【特許請求の範囲】
【請求項１】
配電線と計器とに接続される棒形端子を備える据置端子であって、前記棒形端子が、圧着端子または圧縮端子のいずれか一方である、据置端子。
【請求項２】
前記圧着端子の圧着部または前記圧縮端子の圧縮部が、前記配電線を短絡させる短絡装置に対する接触部を備える、請求項１に記載の据置端子。
【請求項３】
前記配電線を前記据置端子に対して抜け止めする抜け止め用部材を備える、請求項１または２に記載の据置端子。
【請求項４】
前記据置端子は、前記配電線及び前記圧着端子または圧縮端子のいずれか一方が収容されるケースを備えており、
前記抜け止め用部材は、前記配電線が挿入される貫通孔と前記ケースに係合する係合部を有している、請求項３に記載の据置端子。
【請求項５】
前記配電線のうち、送電の停止停解時に前記据置端子から着脱される配電線の前記抜け止め用部材は互いに一体化されている、請求項３または４に記載の据置端子。
【請求項６】
前記抜け止め用部材は、ヒンジ部を介して互いに連結された複数の部分から形成される、請求項３乃至５のいずれか一項に記載の据置端子。
【請求項７】
前記抜け止め用部材は、互いに摺動可能に連結された複数の部分から形成される、請求項３乃至５のいずれか一項に記載の据置端子。
【請求項８】
前記配電線のうち、送電の停止停解時に前記据置端子から着脱される配電線は、他の配電線から独立して前記据置端子に固定されている、請求項１乃至７のいずれか一項に記載の据置端子。
【請求項９】
前記配電線のうち、前記送電の停止停解時に前記据置端子から着脱される配電線は、前記他の配電線が前記据置端子に固定された状態で、前記据置端子から着脱可能である、請求項８に記載の据置端子。
【発明の詳細な説明】
【技術分野】
【０００１】
本発明は、例えば電力量計等の計器に使用される、小型据置端子に関し、特に、所定の設置スペース内に容易に収めることができ、且つ、無停電での計器交換作業及び送電の停止停解作業を安価な手段で、配電線の誤接続等の虞なく且つ効率的に行うことを可能にする、小型据置端子に関する。
【背景技術】
【０００２】
配電線と電力量計との接続には、据置端子が用いられる場合がある。これは、配電線を計器に直接接続せずに、据置端子に固定される棒形端子の電線側に電線を接触させ、この棒形端子の棒部を計器に差し込み接続する方法である。電線を計器に直接接続すると、計器交換の際、計器を取り外した後の電線の撚り線が散けるため、異極の電線どうしが接触する虞がある。しかし、据置端子を使用すれば、電線は据置端子に固定したまま、棒形端子の棒部を計器から着脱させることができるので、このような虞なく計器交換作業をすることができる。
【０００３】
一方、棒形端子と配電線との接続には、従来から、ねじを用いた締め付けによる接続方法が用いられている。即ち、従来の据置端子では、棒形端子の電線挿入穴に電線の端部を挿入した後、２本のねじで締め付けることにより接続している。このとき、据置端子が壁面等に取り付けられた状態では、配電線は左右に揺れるような比較的自由な動きが可能であるため、ねじを複数本使用した方が、ねじのゆるみが少ない。また、据置端子は、通常、長い年数に亘って交換が不要であるため、電線を確実に固定できるよう２本のねじが使用されている。しかし、このような複数本のねじを収容する部分を必要とするため、壁面取付け時における、据置端子の縦方向寸法は比較的大きなものとなっている。
【０００４】
このような従来の据置端子は、例えば、特開平７−２４８３４３号に記載されている。さらに、特開平７−２４８３４３号の据置端子は、計器に通電させるための通電カセットとバイパス用の短絡カセットにより、無停電の計器の交換を可能にしている。具体的には、据置端子の内部で、通電カセット用の接続部と短絡カセット用の接続部の間にカム機構を設け、計器による計測時は、据置端子に通電カセットを取り付けた状態で使用し、無停電での計器交換時は、据置端子に短絡カセットを取り付けることによって、カム機構が作動し、自動的に通電カセットが外れるようになっている。送電の停止時には、通電カセットと短絡カセットの両方を外し、停解時は再度通電カセットのみを取り付ける。しかし、この据置端子では、通電カセット用の接続部と短絡カセット用の接続部が別個に設けられてことから、壁面に取り付けられた時の据置端子の縦方向寸法がさらに大きくなっている。
【特許文献１】特開平７−２４８３４３号
【０００５】
上記したような従来の据置端子は、作業者が計器交換作業及び送電の停止停解作業を配電線の誤接続等の虞なく効率的に行うことを目的としているが、設置スペース及びコストの面で不十分である。据置端子を含めた電力量計の取付けに使用できる壁面の面積は、通常、限られているため、据置端子の寸法はできるだけ小さいことが望ましい。特に隠蔽配線の場合には、その必要性がある。即ち、各建造物の壁面における電力量計の取付け位置は、建造物ごとに予め決められているが、これに加えて、隠蔽配線の場合には、配電線を壁面に形成された既設の穴に通す必要がある。この場合、特に、据置端子の縦方向寸法が大きいと、既設穴の位置が据置端子の電線挿入穴に近すぎたり、据置端子が既設穴を覆うことがあり、既設穴から延びる太い配電線を無理に曲げて配置しなければならない等、計器交換時の作業が煩雑になる。また通電カセットを外すための据置端子内部のカム機構は、据置端子を大型化し、且つ構造を複雑で高価なものにする。
【発明の開示】
【発明が解決しようとする課題】
【０００６】
このような従来技術の問題点に鑑み、本発明の目的は、所定の設置スペース内に容易に収めることができ、且つ、無停電での計器交換作業及び送電の停止停解作業を安価な手段で、配電線の誤接続等の虞なく且つ効率的に行うことを可能にする、小型据置端子を提供することである。
【課題を解決するための手段】
【０００７】
請求項１の発明によれば、配電線と計器とに接続される棒形端子を備える据置端子であって、前記棒形端子が、圧着端子または圧縮端子のいずれか一方である、据置端子が提供される。この構成によれば、棒形端子は圧着または圧縮により配電線と接触するため、配電線とねじ締めにより接触させる従来の据置端子と比較して、接続の信頼性が高い。また、ねじを収容する部分が不要であるため、従来の据置端子と比較して、取付け時の縦方向の寸法を小さくすることができる。従って、隠蔽配線のように計器下の設置スペースの制約が大きい場合でも、容易に据置端子を設置することができる。従って、計器交換時の作業が容易であり、且つ、広範囲の需要家に対して使用可能である。
【０００８】
請求項２の発明によれば、請求項１の据置端子において、前記圧着端子の圧着部または前記圧縮端子の圧縮部が、前記配電線を短絡させる短絡装置に対する接触部を備える。この構成によれば、据置端子における短絡装置の接続部と配電線の接続部が同一位置にあるため、従来の据置端子と比較して、据置端子の小型化が実現できる。
【０００９】
請求項３の発明によれば、請求項１または２に記載の据置端子において、前記配電線を前記据置端子に対して抜け止めする抜け止め用部材を備える、据置端子が提供される。この構成により、従来のねじ締めに依らなくても、配電線を据置端子から確実に抜け止めすることができる。
【００１０】
請求項４の発明によれば、請求項３に記載の据置端子において、前記据置端子は、前記配電線及び前記圧着端子または圧縮端子のいずれか一方が収容されるケースを備えており、前記抜け止め用部材は、前記配電線が挿入される貫通孔と前記ケースに係合する係合部を有している。この構成により、従来のねじ締めに依らなくても、配電線を据置端子から確実に抜け止めすることができる。
【００１１】
請求項５の発明によれば、請求項３または４に記載の据置端子において、前記配電線のうち、送電の停止停解時に前記据置端子から着脱される配電線の前記抜け止め用部材は互いに一体化されている。この構成によれば、送電の停止停解のために着脱する電線のみを、一体化された抜け止め用部材により、互いに連結させることができる。従って、停止停解作業時に、作業者が着脱する電線を間違う虞がない。
【００１２】
請求項６の発明によれば、請求項３乃至５のいずれか一項に記載の据置端子において、前記抜け止め用部材は、ヒンジ部を介して互いに連結された複数の部分から形成される。  この構成によれば、圧着端子または圧縮端子を電線に圧着または圧縮した後でも、電線を切断することなく、抜け止め用部材を交換することができる。
【００１３】
請求項７の発明によれば、請求項３乃至５のいずれか一項に記載の据置端子において、前記抜け止め用部材は、互いに摺動可能に連結された複数の部分から形成される。この構成によれば、圧着端子または圧縮端子を電線に圧着または圧縮した後でも、電線を切断することなく、抜け止め用部材を交換することができる。
【００１４】
請求項８の発明によれば、請求項１乃至７のいずれか一項に記載の据置端子において、前記配電線のうち、送電の停止停解時に前記据置端子から着脱される配電線は、他の配電線から独立して前記据置端子に固定されている。この構成によれば、送電の停止停解のために着脱する配電線のみを、他の配電線とは別個に据置端子から外すことができる。従って、カム機構等の複雑な内部機構を必要とすることなく、電線の着脱によって送電を停止停解することができ、安価な停止停解工法が実現できる。また、停止停解作業時に、作業者が着脱する電線を間違う虞がない。
【００１５】
請求項９の発明によれば、請求項８に記載の据置端子において、前記配電線のうち、前記送電の停止停解時に前記据置端子から着脱される配電線は、前記他の配電線が前記据置端子に固定された状態で、前記据置端子から着脱可能である。この構成によれば、送電の停止停解のために着脱する電線のみを、容易に据置端子から外すことができる。従って、カム機構等の複雑な内部機構を必要とすることなく、電線の着脱によって送電を停止停解することができ、安価な停止停解工法が実現できる。また、停止停解作業時に、作業者が着脱する電線を間違う虞がない。
【発明の効果】
【００１６】
本発明によれば、所定の設置スペース内に容易に収めることができ、且つ、無停電での計器交換作業及び送電の停止停解作業を安価な手段で、配電線の誤接続等の虞なく且つ効率的に行うことを可能にする、小型据置端子を提供することができる。
【発明を実施するための最良の形態】
【００１７】
以下、添付図面を参照して、本発明の一実施形態を説明する。
【００１８】
［据置端子の全体概要］
図１（Ａ）、（Ｂ）は、それぞれ、本発明の一実施形態による据置端子１の外観を示す正面図と側面図である。本発明の据置端子１は、配電線と電力量計等の計器とに接続される棒形圧着端子または棒形圧縮端子を備えている。本実施形態の据置端子１は、棒形圧着端子２を備えている。据置端子１は、さらに、棒形圧着端子２を収容するケース４と、ケース４の前面開口を覆う端子カバー３とを備えている。図１（Ａ）、（Ｂ）に示すように、端子カバー３は、２本の端子カバー用取付ねじ１２を締め付けることによりケース４に固定され、据置端子１は、建造物の壁面等に設置された電力量計等の計器（図示せず）の下側に配置される。以下、特に断りのない限り、「上」、「下」、「左」、「右」、「前」、「後」、「正面」、「背面」、「裏面」等の方向を示す用語は、据置端子１の図１（Ａ）、（Ｂ）に示す取付状態に関して用いられる。この状態で、ケース４の上面から突出する棒形圧着端子２の棒部２ｂが、計器（図示せず）の下面に形成される端子挿入穴に差し込まれ、従来のねじ締めにより固定される。棒形圧着端子２の圧着部２ａは、後述する抜け止め用部材７ａ、７ｂと共にケース４内に配置され、ケース４の下面の電線挿入穴から抜け止め用部材７ａ、７ｂを通って挿入される配電線（１Ｓ、２Ｓ、３Ｓ、３Ｌ、２Ｌ、１Ｌ）（図示せず）と、圧着により接続される。図２は、据置端子１を背面側から見た斜視図である。
【００１９】
据置端子１のケース４内に配置される棒形圧着端子２、抜け止め用部材７ａ（第１の抜け止め用部材）、抜け止め用部材７ｂ（第２の抜け止め用部材）、及び配電線（１Ｓ、２Ｓ、３Ｓ、３Ｌ、２Ｌ、１Ｌ）を図３に示す。配電線を示す符号１Ｓ、２Ｓ、３Ｓは、電源側の配電線であることを意味し、１Ｌ、２Ｌ、３Ｌは、負荷側の配電線であることを意味する（ＪＩＳ  Ｃ  １２１０）。本実施形態は、単相３線式の電力量計に適用される。しかし、本発明の据置端子１は、単相２線式、三相３線式等の電力量計に適用できるように、適宜変更することが可能である。単相３線式の電力量計に適用される本実施形態では、配電線は、左から右へ、１Ｓ、２Ｓ、３Ｓ、３Ｌ、２Ｌ、１Ｌの配列で据置端子１に接続される（図３に示す配電線２Ｌは、ケース４内では配電線３Ｌと１Ｌの間に配置される）。各配電線１Ｓ、２Ｓ、３Ｓ、３Ｌ、２Ｌ、１Ｌの、絶縁シースから突出する先端は、対応する抜け止め用部材７ａまたは７ｂに挿通され、さらに棒形圧着端子２の圧着部２ａに挿入され、圧着によりこれに接続される。
【００２０】
［ケース４について］
図４は、据置端子１のケース４の内部構造の詳細を示す。ケース４は、前面開口を有し、その周囲を囲む上壁４１、下壁４２、左側壁４３及び右側壁４４と、配電線１Ｓ、２Ｓ、３Ｓ、３Ｌ、２Ｌ、１Ｌの先端が収容される棒形圧着端子２の圧着部２ａ及び抜け止め用部材７ａ、７ｂを部分的に受け入れる溝４０等が形成された後壁（符号省略）とを備えている。図４に示すように、溝４０の数は、据置端子１に接続される配電線の本数（本実施形態では６）に対応する。
【００２１】
溝４０は、ケース４の上壁４１と下壁４２の間を延びており、且つ、隔壁を隔てて左右に並んで配置されている。各溝４０は、棒形圧着端子２の圧着部２ａを部分的に受け入れる端子受け入れ溝４０ａと、抜け止め用部材７ａ、７ｂを部分的に受け入れる抜け止め用部材受け入れ溝４０ｂを備えている。端子受け入れ溝４０ａは、圧着により変形した圧着部２ａを保持できるよう湾曲面によって形成されており、且つ、変形後の圧着部２ａの最大寸法を受け入れることができるように寸法が決められている。抜け止め用部材受け入れ溝４０ｂは、抜け止め用部材７ａ、７ｂの外形に沿うよう平坦な面により形成されている。ケース４の下壁４２は、その内側に、抜け止め用部材７ａ、７ｂに対する係合面４ａを形成している。係合面４ａを形成するため、ケース４の下壁４２は、各抜け止め用部材受け入れ溝４０ｂの溝底面（ケース４の後部側に位置する面）からケース４の前方に向けて延びており、且つ、配電線を受け入れる電線挿入穴４００（図１１参照）の一部を形成するように、ケース４の後部側に向けて湾曲している。
【００２２】
ケース４の上壁４１には棒形圧着端子２の棒部２ｂを差し込むための端子挿入穴４５が形成され、各端子挿入穴４５の周囲にはパッキン（符号省略）が取り付けられている。また、ケース４は、溝４０間に形成される隔壁の一部に、２本の端子カバー用取付ねじ１２を受け入れるための２つの端子カバー用取付ねじ穴１３と、後述する内部カバー５を取り付けるための４本の内部カバー用取付ねじ６を受け入れる４つの内部カバー用取付ねじ穴９を備えている。尚、図４には、１つの端子カバー用取付ねじ穴１３と２つの内部カバー用取付ねじ穴９のみが示されているが、ケース４の右側壁４４に隣接する隔壁にも同様に１つの端子カバー用取付ねじ穴１３と２つの内部カバー用取付ねじ穴９が形成されているものである。
【００２３】
［棒形圧着端子２について］
本実施形態では棒形圧着端子２が用いられているが、これに代えて、棒形圧縮端子を用いることもできる。圧着端子の圧着部は一方向から押し潰されるため大きく変形するのに対し、圧縮端子の圧縮部は複数方向から均一に押し潰されるため、変形が小さい。ケース４の端子受け入れ溝４０ａは、圧着部又は圧縮部の変形後の予測される最大寸法に合わせて設計されるため、変形の小さい圧縮端子を用いることによって、ケース４の設計を容易に行うことができる。
【００２４】
棒形圧着端子２または棒形圧縮端子は、市販のものを用いることができ、棒部２ｂが圧着部２ａまたは圧縮部の中心軸に沿って延びるように圧着部２ａまたは圧縮部近傍で曲げ成形されているものが特に好ましい。この場合、棒部２ｂを差し込む端子挿入穴４５は、ケース４の上壁４１の前後方向中央に形成されるので、従来の計器の端子挿入穴の位置との整合性がよい。
【００２５】
このように、本発明の据置端子１では、棒形圧着端子２または棒形圧縮端子によって計器と配電線を接続させている。即ち、配電線と棒形端子が圧着または圧縮により接続されている。従って、従来のねじ締めと比べて接続の信頼性を向上させることができる。さらに、従来技術と異なり、配電線を棒形端子に接続するための複数本のねじを収容する部分が不要であり、小さな圧着部分で接触を行うことができるため、据置端子の特に上下方向の小型化を実現できる。従って、従来の計器の端子カバー内に収納することができ、また、隠蔽配線のように計器下の設置スペースの制約が大きい場合でも、容易に据置端子を設置することができる。従って、計器交換時の作業が容易であり、且つ、広範囲の需要家に対して使用可能である。また、後述するように、圧着端子２の圧着部２ａまたは圧縮端子の圧縮部は、短絡装置に対する接続部としても使用できるため、小型でありながら無停電での計器交換を実現できる据置端子１を提供することができる。
【００２６】
［抜け止め用部材７ａについて］
図３に示されるように、抜け止め用部材７ａ（第１の抜け止め用部材）は、略立方体の外形を備える本体に、電源側配電線１Ｓ、２Ｓ、３Ｓと、負荷側配電線２Ｌの先端が挿入される貫通孔１０を有している。貫通孔１０は、配電線１Ｓ、２Ｓ、３Ｓ、２Ｌが容易に挿入でき、且つ、圧着による変形後の圧着部２ａが通過できない寸法に決められている。さらに、貫通孔１０が開口する端面の開口周囲部は、ケース４に対する係合部７１を形成しており、抜け止め用部材受け入れ溝４０ｂに受け入れられた抜け止め用部材７ａは、係合部７１によりケース４の係合面４ａと係合することができる。これにより、図１（Ａ）、（Ｂ）に示す据置端子１の取付状態において、抜け止め用部材７ａ、ひいてはこれに挿入される配電線１Ｓ、２Ｓ、３Ｓ、２Ｌの各々が、ケース４の下壁４２の電線挿入穴４００（図１１）から下方に抜け落ちることが防止される。このように、従来のねじ締めによる接続でなくとも、配電線の抜け落ちを確実に防止することができる。
【００２７】
［抜け止め用部材７ｂについて］
また、図３に示すように、本実施形態では、負荷側の配電線１Ｌ、３Ｌの抜け止め用部材として、特に抜け止め用部材７ｂ（第２の抜け止め用部材）を用いている。図５（Ａ）〜（Ｃ）、図６（Ａ）（Ｂ）は、それぞれ、抜け止め用部材７ｂの上面図、正面図、側面図、下面図、背面図である。配電線１Ｌ、３Ｌは、送電の停止停解時に据置端子１から着脱される配電線である。このように、本実施形態では、送電の停止停解時に着脱される配電線１Ｌ、３Ｌは、単一の抜け止め用部材７ｂを介して、互いに一体的にケース４に対して抜け止めされる。抜け止め用部材７ｂは、上述した形態の２つの抜け止め用部材７ａと実質的に同様の形態を有する略立方体の抜け止め部９０を、カバー部９１を介して一体化させた形態を有している。具体的には、抜け止め用部材７ｂは、負荷側の配電線１Ｌ、３Ｌを挿通するための貫通孔１００を有する２つの抜け止め部９０と、カバー部９１を備えている。カバー部９１は、その背面側で２つの抜け止め部９０と一体的に連結されている。各抜け止め部９０は、抜け止め用部材７ａと同様に、略立方体である本体を備え、貫通孔１００が開口する端面の開口周囲部が、係合部１０１を形成し、抜け止め部９０がケース４の抜け止め用部材受け入れ溝４０ｂに受け入れられた時、ケース４の係合面４ａと係合可能である。貫通孔１００は、配電線１Ｌ、３Ｌが容易に挿入でき、且つ、圧着による変形後の圧着部２ａが通過できない寸法に決められている。
【００２８】
据置端子１の組立時、抜け止め用部材７ｂは、後述する内部カバー５の一部に嵌め込まれて、内部カバー５と共に、端子カバー３の背面側で、ケース４内に配置される圧着部２ａ及び抜け止め用部材７ａの前面側を覆うことができる（図１１参照）。具体的には、カバー部９１は、左右方向に並んで配置される第１区分９１１、第２区分９１２、第３区分９１３を有しており、第１、第２、第３区分９１１、９１２、９１３の各々は、その背面側に、端子受け入れ溝１０２と抜け止め用部材受け入れ溝１０３を備えている。しかし、第１区分９１１と第３区分９１３の抜け止め用部材受け入れ溝１０３に相当する部分には、抜け止め部９０が一体的に形成されているので、第１、第３区分９１１、９１３に関する抜け止め用部材受け入れ溝１０３は図示されていない。端子受け入れ溝１０２は、変形後の圧着部２ａを保持できるように湾曲面により形成されており、且つ、圧着部２ａの変形後の最大寸法を受け入れることができるように寸法が決められている。第２区分９１２の抜け止め用部材受け入れ溝１０３は、抜け止め用部材７ａの外形に沿うよう平坦な面により形成されている。
【００２９】
第１区分９１１と第３区分９１３は、実質的に同一の形態を有している。中央の第２区分９１２は、配列上配電線１Ｌ、３Ｌの中間に位置する、配電線２Ｌを受け入れるものであり、第２区分９１２の抜け止め用部材受け入れ溝１０３には、配電線１Ｓ、２Ｓ、３Ｓと同様に、配電線ごとの個別の抜け止め用部材７ａが受け入れられる。第２区分９１２の端子受け入れ溝１０２もまた、第１、第３区分９１１、９１３の端子受け入れ溝１０２と同様に圧着部２ａが受け入れられる。しかし、後述するように、第２区分９１２の端子受け入れ溝１０２と圧着部２ａとの間には内部カバー５の一部が配置されるため、第２区分９１２の端子受け入れ溝１０２は、第１及び第３区分９１１、９１３の端子受け入れ溝１０２と比べて、わずかに大きな寸法を有している。第１、第２、第３区分９１１、９１２、９１３の端子受け入れ溝１０２に対応する位置には、それぞれ、後述する短絡装置を圧着部２ａに接続するための接続穴３００が形成されている。
【００３０】
カバー部９１には、さらに、第１、第２、第３区分９１１、９１２、９１３の周囲を囲むように、左右の側壁９１４、９１５及び下壁９１６が形成されている。
【００３１】
本実施形態では、送電の停止停解時に据置端子１から着脱される配電線３Ｌ、１Ｌのみについて、一体化された抜け止め用部材７ｂを用い、配電線３Ｌ、１Ｌの中間に位置する配電線２Ｌに個別の抜け止め用部材７ａを用いている。これは、配電線２Ｌが中性線だからであり、据置端子１から着脱されることなく、ケース４に固定されたままにしておくことが好ましいからである。配電線２Ｌを配電線３Ｌ、１Ｌと一体的にケース４に固定し、配電線３Ｌ、１Ｌと一体的に据置端子１から着脱可能とすると、送電の停止停解作業中に、中性線２Ｌが抜かれた状態で配電線３Ｌ、１Ｌが電線挿入穴に差し込まれる可能性がある。この場合、配電線間のバランスが崩れ、負荷に接続された機器が過電圧によって破損する虞がある。本実施形態では、着脱すべき配電線３Ｌ、１Ｌのみが、一体化された抜け止め用部材７ｂを介して、互いに連結されているので、このような虞なく、送電の停止停解作業をすることができる。
【００３２】
図７（Ａ）、（Ｂ）に抜け止め用部材７ａの変形例を示す。（Ａ）に示す抜け止め用部材３０は、ヒンジ部３１を介して互いに連結された複数（図示の例では２つ）の部分３０ａ、３０ｂから形成されている。この場合、ヒンジ部３１の周りで部分３０ａ、３０ｂを開き、配電線を一方の部分３０ａまたは３０ｂの内側に配置した後、部分３０ａ、３０ｂを閉じ、スナップ・イン機構３２（例えば、穴部３２ａ及びフック部３２ｂ）により固定する。（Ｂ）は、摺動連結部８０ｃ、８０ｃ’で互いに摺動可能に連結される複数（図示の例では２つ）の部分８０ａ、８０ｂから形成されている抜け止め用部材８０を示す。この場合、部分８０ａ、８０ｂを摺動連結部８０ｃ、８０ｃ’で互いに摺動させて分離し、一方の部分８０ａまたは８０ｂの内側に配電線を配置した後、部分８０ａ、８０ｂを摺動連結部８０ｃ、８０ｃ’に沿って互いに摺動させて閉じる。また、図示していないが、抜け止め用部材７ｂについても、抜け止め部９０に適宜ヒンジ部または摺動連結部を形成することにより、上記抜け止め用部材７ａの変形例と同様の効果を得ることができる。
【００３３】
図３等に示す抜け止め用部材７ａ、７ｂのような分離できない一体型の抜け止め用部材では、貫通孔１０、１００に配電線を通した後に棒形圧着端子２の圧着部２ａを圧着しなければならないが、この場合、抜け止め用部材を取り付ける配電線を間違えた時（例えば、配電線３Ｌに、抜け止め用部材７ｂでなく、抜け止め用部材７ａを取り付けてしまった時等）、電線を切断しなければ、正しい抜け止め用部材に交換することができず、電線が短くなってしまう。しかし、図７（Ａ）、（Ｂ）の例では、棒形圧着端子２を配電線に圧着した後に抜け止め用部材を配電線に取り付けることができ、取り付ける電線を間違えた場合でも、配電線を切断することなく、抜け止め用部材を取り外し、正しいものに交換することができる。また、抜け止め用部材が破損した時などにも、配電線を切断することなく、新しい抜け止め用部材に交換することができる。
【００３４】
［内部カバー５について］
本実施形態の据置端子１は、さらに、ケース４の内側で後壁に配置される、内部カバー５を備えている。図８（Ａ）（Ｂ）、図９（Ａ）（Ｂ）は、それぞれ、内部カバー５の上面図、正面図、下面図、背面図である。内部カバー５は、その背面側（図９（Ｂ））に、上下方向に延びる３本の溝５０を有しており、溝５０は、隔壁を介して左右に並んで配置されている。各溝５０は、端子受け入れ溝５０ａと抜け止め用部材受け入れ溝５０ｂを備えている。据置端子１の組み立て後、端子受け入れ溝５０ａと抜け止め用部材受け入れ溝５０ｂは、それぞれ、ケース４の端子受け入れ溝４０ａと抜け止め用部材受け入れ溝４０ｂに対向する位置に配置されて、電源側配電線１Ｓ、２Ｓ、３Ｓに取り付けられる棒形圧着端子２の圧着部２ａ及び抜け止め用部材７ａの前面側を覆うものである。端子受け入れ溝５０ａは、変形後の圧着部２ａを保持できるように湾曲面により形成されており、且つ、変形後の圧着部２ａの最大寸法を受け入れることができるように寸法が決められている。抜け止め用部材受け入れ溝５０ｂは、抜け止め用部材７ａの外形に沿うように平坦な面により形成されている。ケース４と同様に、内部カバー５もまた、抜け止め用部材７ａに対する係合面５ａを備えており、係合面５ａは、抜け止め用部材受け入れ溝５０ｂに隣接する内部カバー５の下壁５５５の内面に形成される。係合面５ａを形成するように、下壁５５５は、抜け止め用部材受け入れ溝５０ｂの溝底面（内部カバー５の前部側に位置する面）から内部カバー５の後方に向けて延びている。下壁５５５は、さらに、ケース４の下壁４２の湾曲部と整合する位置で、配電線１Ｓ、２Ｓ、３Ｓを受け入れる電線挿入穴４００（図１１参照）を形成するように内部カバー５の前部側に向けて湾曲している。各溝５０の上端部には、後方に延びる端部壁５５６が形成されており、端部壁５５６は、突起５５６’と共に、圧着部２ａから延びる棒部２ｂの基端部を挿通させる湾曲部を形成している。
【００３５】
内部カバー５の端子受け入れ溝５０ａに対応する位置には、後述する短絡装置を圧着部２ａに接続するための接続穴５００が形成されている。
【００３６】
さらに、内部カバー５の負荷側配電線３Ｌ、２Ｌ、１Ｌに対応する位置には、それぞれ、３つの湾曲部５５１、５５２、５５３が形成されている。上記したように、抜け止め用部材７ｂは、部分的に湾曲部５５１、５５２、５５３に重なるようにして内部カバー５に嵌め込まれる。
【００３７】
湾曲部５５１、５５２、５５３は、それぞれ、棒形圧着端子２の圧着部２ａを受け入れる第１、第２、第３端子受け入れ溝５０１、５０２、５０３を形成しており、これらは、内部カバー５の前方に開口する溝と後方に開口する溝とが交互に配置されるように形成されている。具体的には、第１、第３端子受け入れ溝５０１、５０３は、変形後の圧着部２ａの後部側を保持するように内部カバー５の後部側に向けて湾曲する湾曲面により形成されており、第２端子受け入れ溝５０２は、圧着部２ａの前部側を受け入れるように内部カバー５の前部側に向けて湾曲する湾曲面により形成されている。
【００３８】
据置端子１の組み立て後、湾曲部５５１、５５３の第１、第３端子受け入れ溝５０１、５０３は、それぞれ、抜け止め用部材７ｂの第１、第３区分９１１、９１３の端子受け入れ溝１０２に対向して配置される。第２端子受け入れ溝５０２を形成する湾曲部５５２は、抜け止め用部材７ｂの第２区分９１２の端子受け入れ溝１０２と重なり合い、配電線２Ｌに取り付けられる圧着部２ａの前面を覆う。
【００３９】
尚、各溝５０と同様に、第２端子受け入れ溝５０２の上端部には後方に延びる端部壁５５６が形成されており、端部壁５５６は、突起５５６’と共に、圧着部２ａから延びる棒部２ｂの基端部を挿通させる湾曲部を形成している。また、第１、第３端子受け入れ溝５０１、５０３の上端部もまた端部壁５５７を有しており、棒部２ｂを挿通させるための湾曲部を形成している。
【００４０】
第２端子受け入れ溝５０２を形成する湾曲部５５２には、抜け止め用部材７ｂの第２区分９１２に形成された接続穴３００と整合する穴６００が形成されている。
【００４１】
内部カバー５は、さらに、内部カバー用取付ねじ６を受け入れる４つの穴２９を有しており、穴２９は、据置端子１の組み立て時、ケース４の隔壁に形成された内部カバー用取付ねじ穴９と整合する位置にある。内部カバー用取付ねじ６を、ケース４の内部カバー用取付ねじ穴９に、穴２９を介してねじ込むことにより、内部カバー５をケース４に固定することができる。内部カバー５は、さらに、端子カバー用取付ねじ１２を受け入れる２つの穴２３を有している。穴２３は、据置端子１の組み立て時、ケース４の隔壁に形成された端子カバー用取付ねじ穴１３と整合する位置に形成されている。
【００４２】
後述する短絡装置と接続するために端子カバー３を外した時には、内部カバー５は、抜け止め用部材７ｂのカバー部９１と共に、ケース４内部に配置される部材を覆う外部カバーとして機能する。
【００４３】
尚、図示の例では、内部カバー５は、４本の内部カバー用取付ねじ６によってケース４に取り付けられているが、内部カバー５の取付方法はこれには限られない。ねじを用いないスナップ・イン構造によって容易に取付可能とし、組立の作業性を向上させることもできる。
【００４４】
［据置端子１の組立方法について］
図１０は、据置端子１の組み立て方法の一例を説明するための分解斜視図である。据置端子１の組立時、まず、電源側の配電線１Ｓ、２Ｓ、３Ｓ及び負荷側の中性線２Ｌの先端を抜け止め用部材７ａの貫通孔１０に通し、さらに棒形圧着端子２の圧着部２ａに挿入する。圧着部２ａを配電線１Ｓ、２Ｓ、３Ｓ、２Ｌに圧着した後、ケース４の上壁４１の電線挿入穴４５に棒部２ｂを挿入して、圧着部２ａを端子受け入れ溝４０ａに、抜け止め用部材７ａを抜け止め用部材受け入れ溝４０ｂにそれぞれ、配置する。次に、内部カバー５を、４本の内部カバー用取付ねじ６を、内部カバー５の穴２９を介してケース４の内部カバー用取付ねじ穴９にねじ込むことにより、ケース４に固定する。一方、負荷側配電線１Ｌ、３Ｌの先端を抜け止め用部材７ｂの抜け止め部９０の貫通孔１００に通し、棒形圧着端子２の圧着部２ａに挿入し、圧着部２ａを配電線１Ｌ、３Ｌに圧着する。
【００４５】
次に、配電線３Ｌ、１Ｌに取り付けられた棒形圧着端子２の棒部２ｂをケース４の上壁４１の電線挿入穴４５に差し込み、圧着部２ａの後部側を内部カバー５の第１、第３端子受け入れ溝５０１、５０３に配置した後、抜け止め用部材７ｂの中央の端子受け入れ溝１０２を形成する湾曲面が、内部カバー５の湾曲部５５２に重なり合うように、抜け止め用部材７ｂを内部カバー５に嵌め込む。この時の状態を図１１に示す。この状態で、内部カバー５及び抜け止め用部材７ｂは、ケース４の前面開口から突出しない位置にあり、各抜け止め用部材７ａの係合部７１及び抜け止め部９０の係合部１０１は、ケース４の係合面４ａと係合している。また、ケース４の下壁４２と、内部カバー５の下壁５５５及び抜け止め用部材７ｂの下壁９１６との間には、電線挿入穴４００が形成されている。
【００４６】
最後に、裏面にパッキンが接着された端子カバー３を、ケース４の前面開口を覆うように配置し、２つの端子カバー用取付ねじ１２を内部カバー５の穴２３を介してケース４の隔壁に形成された端子カバー用取付ねじ穴１３にねじ込む。こうして、図１（Ａ）（Ｂ）に示すような据置端子１が完成する（図１（Ａ）（Ｂ）では配電線の図示を省略）。
【００４７】
［送電の停止停解方法について］
このような本実施形態の据置端子１では、送電の停止停解時に据置端子１から着脱される配電線１Ｌ、３Ｌが、他の配電線１Ｓ、２Ｓ、３Ｓ、２Ｌから独立してケース４に固定されている。従って、送電の停止停解のために着脱される配電線１Ｌ、３Ｌのみを、他の配電線１Ｓ、２Ｓ、３Ｓ、２Ｌとは別個に据置端子１から外すことができる。
【００４８】
送電を停止する際は、端子カバー３を外し、計器の１Ｌ端子と３Ｌ端子を締め付けているねじを緩める。次に、抜け止め用部材７ｂの抜け止め部９０の係合部１０１を、ケース４の係合面４ａとの係合から外し、配電線１Ｌ、３Ｌを下方に引くことによって、圧着端子２の棒部２ｂを端子挿入穴４５から引き抜き、送電を停止する（図１２参照）。停解時は、これと逆に、棒部２ｂを端子挿入穴４５に差し込み、抜け止め用部材７ｂを内部カバー５に嵌め込むようにして、抜け止め用部材７ｂの抜け止め部９０を抜け止め用部材受け入れ溝４０ｂに配置し、係合部１０１を係合面４ａと再び係合させる。棒部２ｂを計器の端子挿入穴に差し込み、ねじを締め付ける。
【００４９】
このように、本実施形態の据置端子１は、カム機構等の複雑な内部機構を必要とすることなく、電線の着脱によって送電を停止停解する安価な停止停解工法を実現する。また、送電の停止停解時に着脱される配電線１Ｌ、３Ｌは、他の配電線１Ｓ、２Ｓ、３Ｓ、２Ｌが据置端子１に固定された状態で据置端子１から着脱できるため、停止停解時に作業者が着脱する電線を間違える虞がない。
【００５０】
上記したように、互いに隣接して配置される負荷側配電線１Ｌ、２Ｌ、３Ｌのうち、中性線２Ｌを除いた配電線１Ｌ、３Ｌにのみ一体化された抜け止め用部材７ｂを用いることにより、線間の電圧のバランスを崩す虞なく、停止停解作業をすることができる。しかし、一体化された抜け止め用部材７ｂは、個別の抜け止め用部材７ａと比較して、抜き差しの作業性が十分でない。このため、配電線１Ｌ、３Ｌの抜け止め用に、他の配電線１Ｓ、２Ｓ、３Ｓ、２Ｌと同様の個別の抜け止め用部材７ａを用いることもできる。
【００５１】
［無停電の計器交換方法について］
また、本実施形態の小型据置端子１では、図１３（Ａ）（Ｂ）、図１４（Ａ）（Ｂ）に示すような短絡装置１６を用いる、無停電での計器交換方法が可能である。図１３（Ａ）は短絡装置１６の正面図、（Ｂ）は側面図である。短絡装置１６は、内部で、同極同士が短絡させられている（図１４（Ａ）の破線部を参照）。
【００５２】
本実施形態の据置端子１では、短絡装置１６の通電接触ピン１７（図１４（Ｂ）参照）を棒形圧着端子２の圧着部２ａに接触させる。計器交換時は、端子カバー用取付ねじ１２を外して、端子カバー３をケース４から外し、ケース４内部に収容された内部カバー５及び抜け止め用部材７ｂの前面を露出させる。次に、図１４（Ａ）（Ｂ）に示すように、内部カバー５及び抜け止め用部材７ｂに形成された接続穴５００、３００に、短絡装置１６の通電接触ピン１７を挿入して、圧着部２ａに接触させ、２本の短絡装置取付ねじ１５により短絡装置１６をケース４に取付ける。図示の例では、端子カバー用取付ねじ１２が外された後の端子カバー用取付ねじ穴１３（内部カバー５の穴２３と連通）を、短絡装置取付ねじ穴として用いる。据置端子１から計器を外し、新たな計器に交換する。交換後は、短絡装置取付ねじ１５を外して、短絡装置１６の通電接触ピン１７を接続穴５００、３００から抜く。端子カバー用取付ねじ１２を、再び内部カバー５の穴２３を介して端子カバー用取付ねじ穴１３にねじ込み、端子カバー３をケース４に固定する。
【００５３】
このように、本実施形態の据置端子１では、配電線１Ｓ、２Ｓ、３Ｓ、３Ｌ、２Ｌ、１Ｌが接続される棒形圧着端子２の圧着部２ａを、無停電での計器交換作業を行うための短絡装置１６との接続部として用いることができる。棒形圧着端子２に代えて棒形圧縮端子を用いた場合は、圧縮部に形成することができる。配電線の接続部と短絡装置の接続部を同一位置に設けているので、小型化を維持したまま、無停電の計器交換も行うことができる。
【００５４】
尚、本実施形態の据置端子１は、単相３線式の電力量計に用いられるが、ケース４内の溝４０の数を変えること等により、単相２線式、三相３線式等の電力計に用いることが可能である。この場合、送電の停止停解時に着脱される配電線の数を考慮して、内部カバー５及び抜け止め用部材７ｂを変更する。例えば、三相３線式の場合、着脱する配電線は３本（３Ｌ、２Ｌ、１Ｌ）であることが安全上、好ましいことから、内部カバー５の湾曲部５５１、５５２、５５３をいずれも前方に開口させ、抜け止め用部材７ｂは、３つの個別の抜け止め用部材７ａを一体化させた形状として、湾曲部５５１、５５２、５５３に配置してもよい。また、単相２線式の場合は、内部カバー５の湾曲部を前方に開口する１つの湾曲部とし、抜け止め用部材７ｂを個別の抜け止め用部材７ａに変更することができる。
【産業上の利用分野】
【００５５】
本発明は、例えば電力量計等の計器に使用される据置端子に適用され、計器の交換時における無停電工法と送電の停止停解工法に関連する機器等に広く適用できる。
【図面の簡単な説明】
【００５６】
【図１】（Ａ）は本発明の一実施形態による据置端子の正面図であり、（Ｂ）は側面図である。
【図２】図１の据置端子の背面側から見た斜視図である。
【図３】据置端子のケース内に配置される棒形圧着端子、抜け止め用部材及び配電線を示す図である。
【図４】据置端子のケースの内部構造を示す斜視図である。
【図５】（Ａ）、（Ｂ）、（Ｃ）は、それぞれ、第２の抜け止め用部材の上面図、正面図、側面図である。
【図６】（Ａ）は、第２の抜け止め用部材の下面図であり、（Ｂ）は背面図である。
【図７】第１の抜け止め用部材の変形例を示す図である。
【図８】（Ａ）は内部カバーの上面図であり、（Ｂ）は正面図である。
【図９】（Ａ）は内部カバーの下面図であり、（Ｂ）は背面図である。
【図１０】据置端子の組立方法の一例を示す分解斜視図である。
【図１１】据置端子の端子カバーを取り除いた図である。
【図１２】送電停止停解時の配電線の着脱を説明するための図である。
【図１３】（Ａ）は据置端子に用いられる短絡装置の正面図であり、（Ｂ）は側面図である。
【図１４】据置端子に短絡装置を取り付ける方法を説明するための斜視図である。
【符号の説明】
【００５７】
１Ｓ、２Ｓ、３Ｓ、３Ｌ、２Ｌ、１Ｌ  配電線
１  据置端子
２  棒形圧着端子
２ａ  圧着部
２ｂ  棒部
３  端子カバー
４  ケース
４ａ  係合面
５  内部カバー
５ａ  係合面
６  内部カバー用取付ねじ
７ａ、７ｂ  抜け止め用部材
９  内部カバー用取付ねじ穴
１０  貫通孔
１２  端子カバー用取付ねじ
１３  端子カバー用取付ねじ穴
１５  短絡装置取付ねじ
１６  短絡装置
１７  通電接触ピン
２３  穴
２９  穴
３０  抜け止め用部材
３０ａ、３０ｂ、８０ａ、８０ｂ  抜け止め用部材の部分
３１  ヒンジ部
３２  スナップ・イン機構
３２ａ  穴部
３２ｂ  フック部
４０  溝
４０ａ  端子受け入れ溝
４０ｂ  抜け止め用部材受け入れ溝
４１  上壁
４２  下壁
４３  左側壁
４４  右側壁
４５  端子挿入穴
５０  溝
５０ａ  端子受け入れ溝
５０ｂ  抜け止め用部材受け入れ溝
７１  係合部
８０  抜け止め用部材
８０ｃ、８０ｃ’  摺動連結部
９０  抜け止め部
９１  カバー部
１００  貫通孔
１０１  係合部
１０２  端子受け入れ溝
１０３  抜け止め用部材受け入れ溝
３００  接続穴
４００  電線挿入穴
５００  接続穴
５０１  第１端子受け入れ溝
５０２  第２端子受け入れ溝
５０３  第３端子受け入れ溝
５５１、５５２、５５３  湾曲部
５５５  下壁
５５６  端部壁
５５６’  突起
５５７  端部壁
６００  穴
９１１  第１区分
９１２  第２区分
９１３  第３区分
９１４  左側壁
９１５  右側壁
９１６  下側壁
【図１】
2010135078.tif 000003
【図２】
2010135078.tif 000004
【図３】
2010135078.tif 000005
【図４】
2010135078.tif 000006
【図５】
2010135078.tif 000007
【図６】
2010135078.tif 000008
【図７】
2010135078.tif 000009
【図８】
2010135078.tif 000010
【図９】
2010135078.tif 000011
【図１０】
2010135078.tif 000012
【図１１】
2010135078.tif 000013
【図１２】
2010135078.tif 000014
【図１３】
2010135078.tif 000015
【図１４】
2010135078.tif 000016